(57)【要約】【課題】  持ち運びしやすく且つ高く積み上げても崩れにくい土嚢を提供すること。【解決手段】  吸水ポリマーが収容された通水性を有する袋部１０と、前記袋部１０の外周に背向する態様で設けられた少なくとも一対の延設片１１とを備えて成るものとしている。袋部１０が平面視略方形であり、対向する一対の辺に延設片１１を設けてある。袋部１０が平面視略方形であり、二つの対向する一対の辺に延設片１１を設けてある。延設片１１の長さは２０ｃｍ以上である。吸水ポリマーは袋部１０内に設けた内袋２に収容されていると共に、前記内袋２は袋部１に対して位置決めされており、前記内袋２は吸水ポリマーは外部に出ないが水分は内部の吸水ポリマーにまで至るようにしてある。【選択図】  図１
2005207018.tif 000002
【特許請求の範囲】
【請求項１】
吸水ポリマーが収容された通水性を有する袋部と、前記袋部の外周に背向する態様で設けられた少なくとも一対の延設片とを備えて成ることを特徴とする土嚢。
【請求項２】
袋部が平面視略方形であり、対向する一対の辺に延設片を設けてあることを特徴とする請求項１記載の土嚢。
【請求項３】
袋部が平面視略方形であり、二つの対向する一対の辺に延設片を設けてあることを特徴とする請求項１記載の請求項１記載の土嚢。
【請求項４】
延設片の長さは２０ｃｍ以上であることを特徴とする請求項１乃至３のいずれかに記載の土嚢。
【請求項５】
吸水ポリマーは袋部内に設けた内袋に収容されていると共に、前記内袋は袋部に対して位置決めされており、前記内袋は吸水ポリマーは外部に出ないが水分は内部の吸水ポリマーにまで至るようにしてあることを特徴とする請求項１乃至４のいずれかに記載の土嚢。
【請求項６】
吸水ポリマーは、ポリアクリル酸塩系、イソブチレン／マレイン酸共重合系、澱粉／アクリル酸塩グラフト系、ポリビニルアルコール系のいずれかであることを特徴とする請求項１乃至５のいずれかに記載の土嚢。
【発明の詳細な説明】
【技術分野】
【０００１】
この発明は、水害時等に用いられる土嚢に関するものである。
【背景技術】
【０００２】
この種の土嚢としては、例えば特許文献１において開示されており、具体的には、通気と通水性を高めた火炎性繊維より成る布地を、立方体から直方体に至るいずれか形状の六面体に成形して折り畳みが可能な容器とし、その内部に積層吸水ポリマーシートを封入したものである。
【０００３】
この土嚢では、乾燥時は小形軽量で保管し易く、布地から侵入した水が積層吸水ポリマーシートに至ると、その水分を積層吸水ポリマーシートが吸収して所定の大きさと重さになる。
【０００４】
しかしながら、実際の水害において使用する場合、積層吸水ポリマーシートに水分を吸収させた状態で持ち運びし、積み上げなければならないこととなるが、上記土嚢では、両手で抱えて運ばなければならないので持ち運びがやりにくく、また、それぞれが独立して載置されているだけであるので崩れやすいという問題がある。
【特許文献１】登録実用新案第３０７７３６８号
【発明の開示】
【発明が解決しようとする課題】
【０００５】
そこで、この発明では、持ち運びしやすく且つ高く積み上げても崩れにくい土嚢を提供することを課題とする。
【課題を解決するための手段】
【０００６】
（請求項１記載の発明）
この発明の土嚢は、吸水ポリマーが収容された通水性を有する袋部と、前記袋部の外周に背向する態様で設けられた少なくとも一対の延設片とを備えて成るものとしている。
（請求項２記載の発明）
この発明の土嚢は、上記請求項１記載の発明に関し、袋部が平面視略方形であり、対向する一対の辺に延設片を設けてある。
（請求項３記載の発明）
この発明の土嚢は、上記請求項１記載の発明に関し、袋部が平面視略方形であり、二つの対向する一対の辺に延設片を設けてある。
（請求項４記載の発明）
この発明の土嚢は、上記請求項１乃至３のいずれかの発明に関し、延設片の長さは２０ｃｍ以上である。
（請求項５記載の発明）
この発明の土嚢は、上記請求項１乃至４のいずれかの発明に関し、吸水ポリマーは袋部内に設けた内袋に収容されていると共に、前記内袋は袋部に対して位置決めされており、前記内袋は吸水ポリマーは外部に出ないが水分は内部の吸水ポリマーにまで至るようにしてある。
（請求項６記載の発明）
この発明の土嚢は、上記請求項１乃至５のいずれかの発明に関し、吸水ポリマーは、ポリアクリル酸塩系、イソブチレン／マレイン酸共重合系、澱粉／アクリル酸塩グラフト系、ポリビニルアルコール系のいずれかである。
【発明の効果】
【０００７】
この発明の土嚢は、持ち運びしやすく且つ高く積み上げても崩れにくい。
【発明を実施するための最良の形態】
【０００８】
以下に、この発明の土嚢を実施するための最良の形態としての実施例について詳細に説明する。
【０００９】
図１は吸水ポリマーに水分が吸収されていない状態のこの発明の実施例の土嚢の斜視図、図２は前記土嚢の袋部及び延長片が樹脂製の織布で形成されている状態を示す拡大図、図３は前記土嚢を構成する吸水ポリマーに水分が吸収された状態を示す斜視図、図４は図３に示した状態の土嚢を横一列に並べた状態を示す斜視図、図５は図３に示した状態の土嚢を積み上げた状態を示す正面図、図６及び図７は前記土嚢の使用状態を示す斜視図を示している。
（この土嚢Ｄの構成について）
この実施例の土嚢Ｄは、図１に示すように、上下に折り畳まれた円筒状の織布１内に、これの長手方向中央に吸水ポリマーを収容させた内袋２を配置させると共に、前記内袋２の短辺部近傍を織布１と共縫い（縫い目線を１９で示す）して当該内袋２を織布１に対して位置決めして成り、前記織布１の縫い目線１９，１９相互間部分を袋部１０とし、織布１の各端部と縫い目線１９相互間部分を延設片１１としている。つまり、この土嚢Ｄは、袋部１０とこれの短辺に背向する態様で一対の延設片１１が設けられ、吸水ポリマーは袋部１０内に設けた内袋２に収容されている。
【００１０】
上記した織布１は、図２に示すように、幅３ｍｍのポリプロピレン若しくはポリエチレン製の繊維１ａを織って形成されているものであり、通水性を有している。なお、この織布１は、図１に示す如く上下に重ねた状態において、長さ１００ｍｍ×幅３５ｍｍに設定されており、袋部１０は長さ６０ｍｍ、各延設辺１１は長さ２０ｍｍに設定されている。      
【００１１】
内袋２は、植物性又は化学性繊維で製造された紙、布又は不織布に微小孔（例えば孔径０．５〜５ｍｍ）を開けてなるものから構成されており、吸水ポリマーは外部に出ないが水分は内部の吸水ポリマーにまで至るようにしてある。したがって外部からの水は、袋部１０及び内袋２を通過して吸水ポリマーにまで至り、吸水ポリマーに水分が吸収されることになる。
【００１２】
吸水ポリマーは、例えば株式会社クラレ製の「ＫＩゲル（商品名）」により構成されており、図３に示す如く水分を最大に吸収したときには１５ｋｇになるように内袋２に、水での吸水倍率が３０倍から１０００倍の吸水ポリマーを３０ｇ以上、好ましくは１００ｇ以上を収容させてある。
（この土嚢Ｄの優れた効果について）
この土嚢Ｄは以下に示すような優れた効果を奏する。
(1) 背景技術の欄で記載した如く、乾燥時は小形軽量で保管し易く、袋部１０及び内袋２から侵入した水を吸水ポリマーが吸収すると１５ｋｇの重量となって十分に土嚢としての機能を発揮する。
(2) この土嚢Ｄは最大吸水した場合には１５ｋｇの重量となるが、延設片１１，１１を手で掴んで持つことにより、比較的楽に持ち運びができる。
(3) 図４や図５に示すように、延設片１１を隣合う袋部１０（この部分が１５ｋｇの重量を有する）で押さえ込むようにすることにより、保持力が作用することになって安定するので、高く積み上げても崩れにくくなる。
（この土嚢Ｄの使用方法について）
図６は、建設現場での水抜き作業時に、この土嚢Ｄを使用した例である。
【００１３】
図７は、住宅ならびに車庫への浸水防止時に、この土嚢Ｄを使用した例である。
（他の実施例）
(1) 上記実施例の土嚢Ｄにかえて、袋部１０が平面視略方形（長方形、正方形）であり、二つの対向する一対の辺に延設片１１を設けたものとすることができる。また、上記実施例の土嚢Ｄにかえて、袋部１０が平面視形状に拘らず、全周に延設片１１を設けるようにしてもよい。これらの土嚢Ｄでは二列以上で配置させる場合において、左右前後で保持されることになるので更に崩れにくいものとなる。
(2) 上記実施例の土嚢Ｄにかえて、延設片１１に把手用の孔を設けるようにすれば、更に運びやすくなる。
(3) 上記実施例の土嚢Ｄにおいて、その最大重量を適宜変えることができる。
(4) 上記実施例の土嚢Ｄに使用する吸水ポリマーにかえて、吸水ポリマーは、ポリアクリル酸塩系、イソブチレン／マレイン酸共重合系、澱粉／アクリル酸塩グラフト系、ポリビニルアルコール系のものを使用することができる。
(5) 図８に示すように、織布１と同じ部材等で形成した筒状体３を、袋部１０の長辺に縫着し、前記筒状体３内に鉄棒や鉄パイプ（その他比重の大きいもの）を挿通収容させるようにすれば、全体の比重を大きくなり、水に浮遊するという事態は生じない。
【００１４】
図９に示すように、織布１と同じ部材等で形成した筒状体３を、フック４を介して袋部１０の長辺部近傍に吊り下げ、前記筒状体３内に鉄棒や鉄パイプ（その他比重の大きいもの）を挿通収容させるようにすれば、全体の比重を大きくなり、水に浮遊するという事態は生じない。
【図面の簡単な説明】
【００１５】
【図１】吸水ポリマーに水分が吸収されていない状態のこの発明の実施例の土嚢の斜視図。
【図２】前記土嚢の袋部及び延長片が樹脂製の織布で形成されている状態を示す拡大図。
【図３】前記土嚢を構成する吸水ポリマーに水分が吸収された状態を示す斜視図。
【図４】図３に示した状態の土嚢を横一列に並べた状態を示す斜視図。
【図５】図３に示した状態の土嚢を積み上げた状態を示す正面図。
【図６】前記土嚢の使用状態を示す斜視図。
【図７】前記土嚢の使用状態を示す斜視図。
【図８】他の実施例の土嚢を示す斜視図。
【図９】他の実施例の土嚢を示す斜視図。
【符号の説明】
【００１６】
Ｄ      土嚢
１      織布
２      内袋
１０    袋部
１１    延設片
【図１】
2005207018.tif 000003
【図２】
2005207018.tif 000004
【図３】
2005207018.tif 000005
【図４】
2005207018.tif 000006
【図５】
2005207018.tif 000007
【図６】
2005207018.tif 000008
【図７】
2005207018.tif 000009
【図８】
2005207018.tif 000010
【図９】
2005207018.tif 000011